(57)【要約】  【課題】キャビネットと外扉との間の隙間を通じて雨水が自動販売機の内部に浸入するのを防ぐ防水ガスケットの防水性能を高める。  【解決手段】庫内に商品を収納するキャビネット１の間口上縁に装着して外扉２の上縁との間の隙間を封止し、雨水が庫内に浸入するのを防止するする防水ガスケット７を次記のように構成する。すなわち、硬質樹脂の押出成形品になる長尺フレーム７ａに、キャビネット１の外箱１ａの上縁に内側から嵌め込んで係止するクリップ部７ａ−１、外箱１ａの上面側に突き出すリブ状の係合突起部７ａ−２を形成するとともに、このフレームと一体に、クリップ部７ａ−１の前面には中空状の軟質ガスケット部材７ｂを複合成形し、軟質ガスケット部材７ｂのヒンジ金具３側端から切り込み８を形成する。【選択図】図１
2008117171.tif 000002
【特許請求の範囲】
【請求項１】
キャビネットの前面に外扉をヒンジ金具を介して取り付けられる自動販売機において、庫内に商品を収納するキャビネットの間口上縁に装着して外扉の上縁との間の隙間を封止し、硬質樹脂の押出成形品になる長尺フレームに、キャビネットの外箱上縁に内側から嵌め込んで係止するクリップ部、外箱の上面側に突き出すリブ状の係合突起部を形成するとともに、このフレームと一体に、クリップ部の前面には中空状の軟質ガスケット部材を複合成形し、軟質ガスケット部材の切り込みを形成したことを特徴とする自動販売機。
【請求項２】
切り込みは、外扉が取付けられるヒンジ金具の側端側に構成したことを特徴とする請求項１に記載の自動販売機。
【請求項３】
切り込みは、軟質ガスケット部材のヒンジ金具側端から角部の回動軌跡位置を越える長さにわたって設けられていることを特徴とする請求項１または２に記載の自動販売機。
【請求項４】
切り込みは、角部の回動軌跡に沿う方向に施されていることを特徴とする請求項１または２に記載の自動販売機。
【請求項５】
雨水が庫内に浸入するのを防止する防水機能を有するガスケットであることを特徴とする請求項１から４のいずれか一項に記載の自動販売機。
【発明の詳細な説明】
【技術分野】
【０００１】
本発明は、屋外に設置する自動販売機に関する。
【背景技術】
【０００２】
まず、頭記した自動販売機を図３に示す。図において、１は自動販売機のキャビネット、２は外扉、３はヒンジ金具、３ａは軸、４は断熱内扉、５はキャビネット１の庫内に収設した商品収納ラック、６は商品搬出シューターであり、外扉２はヒンジ金具３を介してキャビネット１の前面に取付けられている。なお、キャビネット１は外箱内側に断熱材を充填した断熱筐体になる。
【０００３】
また、前記の自動販売機には、屋外に設置した場合にキャビネット１と外扉２との隙間から庫内に雨水が浸入するのを防ぐために、キャビネット１の間口上縁に沿って次記構造の防水ガスケット７を装備しており、その従来構造を図４（ａ）、（ｂ）に示す。なお、図４（ａ）は防水ガスケットを自動販売機のキャビネットに装着した構成図、図４（ｂ）は防水ガスケットの部分斜視図である。
【０００４】
すなわち、防水ガスケット７は、硬質樹脂の押出成形品になる長尺なフレーム（台枠）７ａに、その長手方向に沿って中空状の軟質なガスケット部材７ｂを一体に成形した複合成形品で作られている。ここでフレーム７ａには、キャビネット１の外箱１ａの上縁に内側から嵌め込んで係止するクリップ部７ａ−１，外箱１ａの上面側に突き出すリブ状の係合突起部７ａ−２を形成し、前記の中空状ガスケット部材７ｂをクリップ部７ａ−１の前面に一体成形されている。
【０００５】
そして、この防水ガスケット７を図４（ａ）のようにキャビネット１の前面上縁に嵌め込み装着した状態では、クリップ部７ａ−１が外箱１ａの上縁折り返し部１ａ−１を把持し、係合突起部７ａ−２がキャビネット１の上面に係合してガスケットを固定する。また、キャビネット１に防水ガスケット７を装着した状態で外扉２を閉じると、外扉２の裏面側上縁に沿って取付けた樋状の枠２ａの板面が前記した中空状のガスケット部材７ｂに突き当たって密着し、キャビネット１の庫内側に浸入する雨水の進入経路を封止する。なお、前記の樋状枠２ａは、キャビネット１と外扉２との間の隙間を伝わって浸入した雨水を受け止め、扉の側方に導いて滴下排水させる雨樋の役目を果している。
【特許文献１】特開２００３−３３１３４５号公報
【発明の開示】
【発明が解決しようとする課題】
【０００６】
ところで、前記構造の防水ガスケットを自動販売機に装着して使用した場合に、防水性能の面で次記のような不具合のあることが判明した。すなわち、自動販売機の外扉２をヒンジ金具３の軸３ａを中心にして回動させると、図２の如く外扉２のヒンジ金具３側端奥部を先鋭形成する角部２ｂの回動軌跡は、長さＬなる経路に渡りガスケット部材７ｂを圧縮摺動する軌跡を描く。外扉２や角部２ｂは鋼板で製作されて先鋭形成され、相対するガスケット部材７ｂは軟質エラストマーなどの軟質樹脂で成型されている。これによってガスケット部材７ｂは一体で軟質中空を形成しているため圧縮力Ｆを自身で吸収して受けるので、この動作を繰り返すことによってガスケット部材７ｂが擦れて破れる。
【０００７】
そこで、本発明は前記した雨水浸入の問題を解消するように改良して防水性の向上化を図った自動販売機の防水ガスケットを提供することを目的とする。
【課題を解決するための手段】
【０００８】
上記目的を達成するために、本発明の防水ガスケットでは、硬質樹脂の押出成形品になる長尺フレームに、キャビネットの外箱上縁に内側から嵌め込んで係止するクリップ部，外箱の上面側に突き出すリブ状の係合突起部、を形成するとともに、このフレームと一体に、クリップ部の前面には中空状の軟質ガスケット部材を複合成形し、軟質ガスケット部材のヒンジ金具側端から切り込みを形成して構成する。
【０００９】
上記の構成によれば、従来の防水ガスケットと比べて、軟質ガスケット部材のヒンジ金具側端から切り込みを形成して構成しているので、外扉をヒンジ金具の軸を中心に回動させると、外扉のヒンジ金具側端奥部を先鋭形成する角部が軟質ガスケット部材に圧縮力を加えるが、切り込みの部分では軟質ガスケット部材が圧縮力によって変位移動することによって圧縮力を拡散する。これによって、外扉の回動時に角部によってガスケット部材が擦れて破れることを防ぐ。これにより、キャビネットの天井に溜まった雨水が防水ガスケットを伝わって自動販売機の内部に浸入するのを確実に防ぐことができて防水ガスケットの防水性能が向上する。
【発明の効果】
【００１０】
本発明の自動販売機は、外扉回動時に角部によって軟質ガスケット部材が擦れて破れることを防ぐので、キャビネットの天井に溜まった雨水が防水ガスケットを伝わって自動販売機の内部に浸入するのを確実にかつ長期にわたって防止することができ、これにより防水ガスケットの防水性能，信頼性が向上する。
【発明を実施するための最良の形態】
【００１１】
請求項１に記載の発明は、キャビネットの前面に外扉をヒンジ金具を介して取り付けられる自動販売機において、庫内に商品を収納するキャビネットの間口上縁に装着して外扉の上縁との間の隙間を封止し、硬質樹脂の押出成形品になる長尺フレームに、キャビネットの外箱上縁に内側から嵌め込んで係止するクリップ部、外箱の上面側に突き出すリブ状の係合突起部を形成するとともに、このフレームと一体に、クリップ部の前面には中空状の軟質ガスケット部材を複合成形し、軟質ガスケット部材の切り込みを形成したものであり、ドア開閉を繰り返してもガスケットの削れ、破れを低減できる。
【００１２】
請求項２に記載の発明は、請求項１に記載の発明にさらに、切り込みは、外扉が取付けられるヒンジ金具の側端側に構成したものであり、応力がかかりやすいヒンジ側に形成したものである。
【００１３】
請求項３に記載の発明は、請求項１または２に記載の発明にさらに、切り込みは、軟質ガスケット部材のヒンジ金具側端から角部の回動軌跡位置を越える長さにわたって設けられているものである。
【００１４】
請求項４に記載の発明は、請求項１または２に記載の発明にさらに、切り込みは、角部の回動軌跡に沿う方向に施されているものである。
【００１５】
請求項５に記載の発明は、請求項１から４のいずれか一項に記載の発明にさらに、雨水が庫内に浸入するのを防止する防水機能を有するガスケットである。
【００１６】
（実施の形態１）
以下、本発明の実施の形態１を図１（ａ）、（ｂ）、図２で説明する。なお、本実施の形態の図中で図４に対応する部材には同じ符号を付してその詳細な説明は省略する。
【００１７】
図１（ａ）は、本発明の実施の形態１による防水ガスケットを自動販売機に装着した状態の断面図、図２（ｂ）は、同実施の形態の防水ガスケットの部分斜視図、図２は、同実施の形態の自動販売機の要部平面図である。
【００１８】
この実施の形態１においては、図４に示した従来構造の防水ガスケットと比べて、軟質ガスケット部材７ｄのヒンジ金具３側端から切り込み８を形成して構成して、また、この切り込み８は、軟質ガスケット部材７ｄのヒンジ金具３側端から角部２ｂの回動軌跡位置Ｌを越えてＬ‘なる長さにわたって設けられている。そのほかは図４の構造と同様である。
【００１９】
そして、防水ガスケット７を自動販売機のキャビネット１に装着する際には、前記した軟質ガスケット部材７ｄを係合突起７ａ−２の下面側に折り返した上で、クリップ部７ａ−１を外箱１ａの開口部上縁に嵌め込み、係合突起７ａ−２を外箱２の上面に引っ掛けて取付ける。この取付状態では、図示のように外扉２をヒンジ金具３の軸３ａを中心に回動させると、外扉２のヒンジ金具３側端奥部を先鋭形成する角部２ｂが軟質ガスケット部材７ｂに圧縮力Ｆを加えるが、切り込み８の部分では軟質ガスケット部材７ｂは圧縮力Ｆを受けて切り込み８を境に上下に変位移動することによって圧縮力Ｆを拡散する。
【００２０】
また、この切り込み８は、軟質ガスケット部材７ｄのヒンジ金具３側端から角部２ｂの回動軌跡位置Ｌを越えてＬ‘なる長さにわたって設けられているので、角部２ｂの回動軌跡範囲全経路にわたって、外扉２の回動時に角部２ｂによってガスケット部材７ｂが擦れて破れることを防ぐ。これによって、キャビネット１の外箱上面側に溜まった雨水が防水ガスケット７を伝わってキャビネット庫内に浸入するのを確実に防ぐことができる。
【００２１】
また、Ｌ‘とＬとの差を短くすれば、切り込み８の経路長さを短くすることになるので、切り込み８を施す加工が簡素になる。
【産業上の利用可能性】
【００２２】
以上のように、本発明にかかる自動販売機は、雨水が防水ガスケットを伝わって自動販売機の内部に浸入するのを確実にかつ長期にわたって防止することができ、あらゆる自動販売機に適用できる。
【図面の簡単な説明】
【００２３】
【図１】（ａ）本発明の実施の形態１による防水ガスケットを自動販売機に装着した状態の断面図（ｂ）同実施の形態の防水ガスケットの部分斜視図
【図２】同実施の形態の自動販売機の要部平面図
【図３】自動販売機の扉開放状態における正面斜視図
【図４】（ａ）従来の防水ガスケットを自動販売機のキャビネットに装着した構成図（ｂ）従来の防水ガスケットの部分斜視図
【符号の説明】
【００２４】
１    キャビネット
１ａ  外箱
２    外扉
２ｂ  角部
３    ヒンジ金具
７    防水ガスケット
７ａ  フレーム
７ａ−１  クリップ部
７ａ−２  係合突起部
７ｂ  軟質ガスケット部材
８    切り込み
【図１】
2008117171.tif 000003
【図２】
2008117171.tif 000004
【図３】
2008117171.tif 000005
【図４】
2008117171.tif 000006